(57)【要約】【課題】簡便に運搬可能で取り付け及び取り外しが容易であり、圧縮接続の際により線の線材の間に隙間が生じる「笑い」現象を確実に防止する圧縮スリーブ補助具を提供する。【解決手段】圧縮スリーブ補助具１は、より線にて構成された一対の電線２０を送電線の建設時等に圧縮接続するために圧縮スリーブ１０に挿入し、その両端に装着する補助具であり、略円筒状で軸方向に沿って略半分に開く外周部２と、圧縮スリーブ１０の両端が接触される第１の内周部３と、電線２０が挟持される第２の内周部４と、弾性ヒンジ５と、締付具６と、係止部７とを備えている。第２の内周部４にて電線２０を挟持した状態で圧縮接続を行うと、第２の内周部４が電線２０を挟持するので、よりが外れるのを防止することができる。【選択図】  図１
2018097996.tif 000002
【特許請求の範囲】
【請求項１】
複数の導電性の線材が結束された一対のより線を圧縮スリーブの両端から挿入して、前記圧縮スリーブを圧縮させて前記一対のより線を接続する際に、前記線材の間に隙間が生じるのを防止する圧縮スリーブ補助具であって、
略円筒状で軸方向に沿って略半分に開く形状であり、略半円筒形状の第１の枠体と、前記第１の枠体に対向して設けられた略半円筒形状の第２の枠体と、を有し、前記第１の枠体及び前記第２の枠体の円周方向における一端が接続され、他端が開く外周部と、
前記外周部の長手方向端部の開口部から内周面側に設けられ、前記圧縮スリーブの両端の外径と略同一の内径を有する第１の内周部と、
前記第１の内周部から長手方向に沿って設けられ、前記より線の外径と略同一の内径を有する第２の内周部と、を備え、
前記一対のより線に前記圧縮スリーブと隣接するように装着され、前記第２の内周部により前記より線を挟持して前記線材の間に隙間が生じるのを防止し、前記第１の内周部により前記圧縮スリーブが圧縮されて延伸した部分を受け入れる、
ことを特徴とする圧縮スリーブ補助具。
【請求項２】
前記第２の内周部には、内周面に沿って弾性材が敷設されている、
ことを特徴とする請求項１に記載の圧縮スリーブ補助具。
【請求項３】
前記外周部は、前記より線の太さに応じて内径の太さを調整可能な内径調整部を備えた、
ことを特徴とする請求項１または２のいずれか１項に記載の圧縮スリーブ補助具。
【請求項４】
前記第１の内周部は、前記外周部の長手方向の両端にそれぞれ設けられ、
前記第２の内周部は、２つの前記第１の内周部の間に設けられている、
ことを特徴とする請求項１ないし３のいずれか１項に記載の圧縮スリーブ補助具。
【発明の詳細な説明】
【技術分野】
【０００１】
この発明は、複数の線材が結束されたより線を圧縮接続するための圧縮スリーブの両端に隣接するように装着され、圧縮接続の際に線材の間に隙間が生じる「笑い」現象を防止する圧縮スリーブ補助具に関する。
【背景技術】
【０００２】
送電線の建設時や事故による断線から復旧する場合、一対の電線を軸方向に接続させる接続作業が行われる。この電線の接続作業は、一対の電線の端部を円筒状の圧縮スリーブの両端から挿入し、圧縮器による圧縮を行い、圧縮接続させることにより行われる。この圧縮器による圧縮は、主に複数回行われることが多い。ここで、このような電線には、複数の導電性の線材が結束されているより線が使用されているので、圧縮接続の際、電線を構成する線材のよりが外れ、電線の外側に移動して線材間に隙間が生じる「笑い」現象が起こることがある。この「笑い」現象は、電線の引張強度を低下させるものであるため、防止する必要がある。
【０００３】
この「笑い」現象を防止するため、従来、圧縮スリーブにゴム製のチューブを螺旋状に巻き付け、線材のよりが外れないように圧力を加えた状態で圧縮接続を行っていた。しかし、作業者の手作業によってチューブを巻きつけるため、作業者の熟練度によってチューブの巻きつけ方に差異があり、「笑い」現象の防止にならない場合もあった。また、チューブを巻きつける際、チューブが切断してしまうことで作業者が怪我をする恐れがあった。さらに、チューブを巻きつけるための工具が別途必要になり、この作業は煩わしいものであった。
【０００４】
そのため、例えば、圧縮接続を行う電線を接続用スリーブに対して直線状に保持することで電線の「笑い」現象を防止する電線保持装置が知られている（例えば、特許文献１参照。）。この電線保持装置は、接続用スリーブを圧縮する圧縮機構と、圧縮機構の下部に配置されるベース架台と、このベース架台内に収納されて電線に沿って移動自在なスライド架台と、スライド架台の先端に配置されて電線を保持する電線固定金具とから構成されているものである。
【先行技術文献】
【特許文献】
【０００５】
【特許文献１】実開昭６１−０９６４９０号公報
【発明の概要】
【発明が解決しようとする課題】
【０００６】
しかしながら、特許文献１に記載の電線保持装置は、一体の装置であるため重量及び寸法が大きいものであるが、電線の圧縮接続の作業は山岳地等において行うこともあり、重量及び寸法が大きい装置を運搬するのは容易ではなかった。また、圧縮機による電線の圧縮を複数回行う場合、その都度電線を保持する位置を変更する必要があるが、この作業に手間がかかり、実用的なものではなかった。
【０００７】
そこでこの発明は、簡便に運搬可能で、取り付け及び取り外しが容易であり、圧縮接続の際により線の線材の間に隙間が生じる「笑い」現象を確実に防止する圧縮スリーブ補助具を提供することを目的とする。
【課題を解決するための手段】
【０００８】
上記課題を解決するために、請求項１の発明は、複数の導電性の線材が結束された一対のより線を圧縮スリーブの両端から挿入して、前記圧縮スリーブを圧縮させて前記一対のより線を接続する際に、前記線材の間に隙間が生じるのを防止する圧縮スリーブ補助具であって、略円筒状で軸方向に沿って略半分に開く形状であり、略半円筒形状の第１の枠体と、前記第１の枠体に対向して設けられた略半円筒形状の第２の枠体と、を有し、前記第１の枠体及び前記第２の枠体の円周方向における一端が接続され、他端が開く外周部と、前記外周部の長手方向端部の開口部から内周面側に設けられ、前記圧縮スリーブの両端の外径と略同一の内径を有する第１の内周部と、前記第１の内周部から長手方向に沿って設けられ、前記より線の外径と略同一の内径を有する第２の内周部と、を備え、前記一対のより線に前記圧縮スリーブと隣接するように装着され、前記第２の内周部により前記より線を挟持して前記線材の間に隙間が生じるのを防止し、前記第１の内周部により前記圧縮スリーブが圧縮されて延伸した部分を受け入れる、ことを特徴とする。
【０００９】
この発明では、圧縮スリーブ補助具の外周部が略円筒状で軸方向に沿って略半分に開く形状に設けられ、外周部の長手方向端部の開口部から内周面側には、圧縮スリーブの両端の外径と略同一の内径を有する第１の内周部が設けられ、第１の内周部から長手方向に沿って、より線の外径と略同一の内径を有する第２の内周部が設けられている。この圧縮スリーブ補助具は、より線を圧縮接続する際に圧縮スリーブの両端に隣接するように装着される。そして、第１の内周部は、より線を圧縮接続する際に圧縮スリーブが両端方向に延伸するのを受け入れ、第２の内周部は、より線を挟持して線材の間に隙間が生じるのを防止する。
【００１０】
請求項２の発明は、請求項１に記載の圧縮スリーブ補助具において、前記第２の内周部には、内周面に沿って弾性材が敷設されている、ことを特徴とする。
【００１１】
請求項３の発明は、請求項１または２のいずれか１項に記載の圧縮スリーブ補助具において、前記外周部は、前記より線の太さに応じて内径の太さを調整可能な内径調整部を備えた、ことを特徴とする。
【００１２】
請求項４の発明は、請求項１ないし３のいずれか１項に記載の圧縮スリーブ補助具において、前記第１の内周部は、前記外周部の長手方向の両端にそれぞれ設けられ、前記第２の内周部は、２つの前記第１の内周部の間に設けられている、ことを特徴とする。
【発明の効果】
【００１３】
請求項１の発明によれば、圧縮スリーブ補助具がより線を圧縮接続する際に圧縮スリーブの両端に隣接するように装着され、この圧縮スリーブ補助具には、より線の外径と略同一の内径を有する第２の内周部が設けられてより線を挟持するので、圧縮接続の際に圧縮スリーブの両端の線材に対してよりが外れる方向に力が加わっても、第２の内周部のより線の挟持によって、よりが外れるのを防止する。これにより、線材がより線の外側に移動して線材間に隙間が生じる「笑い」現象を防止することができる。また、略円筒状の外周部が、略半円筒形状の第１の枠体と略半円筒形状の第２の枠体とが軸方向に沿って略半分に開く形状であるため、より線への取り付け及び取り外しが容易であり、簡便に運搬することが可能になる。
【００１４】
請求項２の発明によれば、第２の内周部には内周面に沿って弾性材が敷設されているので、圧縮接続の際に圧縮スリーブが第２の内周部の弾性材によって挟持されることにより、線材のよりが外れるのを防止することができる。
【００１５】
請求項３の発明によれば、外周部がより線の太さに応じて内径の太さを調整可能な内径調整部を備えたので、圧縮スリーブ及びより線は複数種類の太さのものがあるが、それらに対応することが可能になる。
【００１６】
請求項４の発明によれば、第１の内周部が外周部の長手方向の両端にそれぞれ設けられ、第２の内周部が２つの第１の内周部の間に設けられているので、複数箇所の圧縮接続に対応することが可能になるため、送電線の建設や事故による断線復旧の工事に対して柔軟に適用することが可能になる。
【図面の簡単な説明】
【００１７】
【図１】この発明の実施の形態に係る圧縮スリーブ補助具１を開いた状態を示す斜視図である。
【図２】図１の圧縮スリーブ補助具１を圧縮スリーブ１０の両端の電線２０に装着する状態を示す図であり、圧縮スリーブ補助具１を装着する前の状態を示す正面図（ａ）、及び圧縮スリーブ補助具１を装着した後の状態を示す正面図（ｂ）である。
【図３】電線２０の圧縮接続前における図２（ｂ）のＡ−Ａ線を示す断面図である。
【図４】電線２０の圧縮接続後における図２（ｂ）のＡ−Ａ線を示す断面図である。
【図５】図２（ｂ）のＢ−Ｂ線を示す断面図である。
【発明を実施するための形態】
【００１８】
以下、この発明を図示の実施の形態に基づいて説明する。
【００１９】
図１ないし図５は、この発明の実施の形態に係る圧縮スリーブ補助具１を示し、図１は、圧縮スリーブ補助具１を開いた状態を示す斜視図である。この圧縮スリーブ補助具１は、複数の導電性の線材が結束されたより線にて構成された送電線等の電線を、送電線の建設時や事故による断線から復旧する場合等に圧縮接続するためにより線を円筒状の圧縮スリーブに挿入し、その圧縮スリーブの両端に装着される補助具であり、線材がより線の外側に移動して線材間に隙間が生じる「笑い」現象を防止する目的で装着されるものである。この圧縮スリーブ補助具１は、主として外周部２と、第１の内周部３と、第２の内周部４と、弾性ヒンジ５と、締付具６と、係止部７とから構成されている。
【００２０】
外周部２は、圧縮スリーブ補助具１の枠体であり、略円筒状で軸方向に沿って略半分に開く形状であり、例えば、硬質プラスチック等により形成されている。この外周部２は、半分に開いた略半円筒状に形成された第１の枠体２ａと、第１の枠体２ａに対向して略同一の半円筒状に形成された第２の枠体２ｂとを有し、第１の枠体２ａと第２の枠体２ｂとの円周方向端部をそれぞれ嵌め合わせることで円筒状になるように形成されている。
【００２１】
第１の内周部３は、外周部２の長手方向端部の開口部から内周面側に、例えば、スポンジ材等の柔軟材が敷設されている箇所であり、圧縮スリーブの両端に隣接するように装着され、圧縮接続する際に圧縮スリーブが両端方向に延伸するのを受け入れる箇所であり、圧縮スリーブの両端の外径と略同一の内径に形成されている。この第１の内周部３は、第１の枠体２ａ側における両端の開口部に設けられた第１の内周部３ａ，３ｂと、第２の枠体２ｂ側における両端の開口部に設けられた第１の内周部３ｃ，３ｄとから構成されている。第１の内周部３ａ，３ｂ，３ｃ，３ｄには、それぞれ開口部３１ａ，３１ｂ，３１ｃ，３１ｄと、後述する第２の枠体４との境界である境界部３２ａ，３２ｂ，３２ｃ，３２ｄとを有している。この第１の内周部３ａ，３ｂ，３ｃ，３ｄにおいて、開口部３１ａ，３１ｂ，３１ｃ，３１ｄから柔軟材が敷設された長手方向の長さＬ１は、圧縮スリーブの両端が延伸するのを考慮して、例えば、３０ｍｍに形成されている。この第１の内周部３は、圧縮スリーブの両端の延伸を受け入れるために設けられているが、この延伸の長さは外気温によって異なるので、外気温に関わらずに受け入れられるようにするために柔軟材が敷設されている。なお、この第１の内周部３には、柔軟材を敷設せずに隙間を設けても良い。
【００２２】
第２の内周部４は、第１の枠体２ａ側における第１の内周部３ａと第１の内周部３ｂとの間、及び第２の枠体２ｂ側における第１の内周部３ｃと第１の内周部３ｄとの間を内周面の長手方向に沿って、例えばゴム材等の弾性材が敷設されている箇所であり、電線の外径と略同一の内径に形成され、圧縮スリーブが装着されていない電線を挟持することで電線の線材のよりが外れるのを防止する箇所である。この第２の内周部４は、第１の枠体２ａ側における第２の内周部４ａと、第２の枠体２ｂ側における第２の内周部４ｂとから構成されている。
【００２３】
弾性ヒンジ５は、第１の枠体２ａと第２の枠体２ｂとの円周方向の一端を開閉自在に連結し、他端が嵌め合わされて円筒状になるように設けられた連結具である。この弾性ヒンジ５は、例えば、第１の枠体２ａ及び第２の枠体２ｂの一端を長手方向に沿って、３つの弾性ヒンジ５ａ，５ｂ，５ｃを有している。締付具６及び係止部７は、第１の枠体２ａ及び第２の枠体２ｂの円周方向端部における弾性ヒンジ５が設けられた側の他端を接合するためのものであり、締付具６が第１の枠体２ａ側に、係止部７が第２の枠体２ｂ側に設けられ、締付具６が係止部７に係止して固定されるように形成されている。この締付具６及び係止部７は、第１の枠体２ａ及び第２の枠体２ｂの他端を長手方向に沿って、締付具６ａ，６ｂ及び係止部７ａ，７ｂを有している。
【００２４】
係止部７ａ，７ｂは、圧縮スリーブ及びより線は複数種類の太さのものがあるが、この複数種類の太さに対応するためにそれぞれの太さに合わせて内径の太さを調整可能にするために複数（例えば、２つ）設けられ、それぞれ締付具６ａ，６ｂに係止されるように設けられ、締付具６ａ，６ｂと係止部７ａ，７ｂとにより内径調整部を構成している。これに対応するため、外周部２、第１の内周部３ａ，３ｂ，３ｃ，３ｄ、及び第２の内周部４ａ，４ｂにおける締付具６及び係止部７が設けられている円周方向端部は、斜めに形成され、内側に巻き込まれるように形成されている。
【００２５】
次に、このような圧縮スリーブ補助具１の使用方法及び作用等について、以下に説明する。
【００２６】
図２は、図１の圧縮スリーブ補助具１を圧縮スリーブ１０の両端の電線２０に装着する状態を示す図であり、圧縮スリーブ補助具１を装着する前の状態を示す正面図（ａ）、及び圧縮スリーブ補助具１を装着した後の状態を示す正面図（ｂ）である。この圧縮スリーブ１０は、送電線の建設時や事故による断線から復旧する場合等に、一対の電線（より線）２０を圧縮接続するために使用されるものであり、２本の電線２０の端部を圧縮スリーブ１０に挿入した状態で、油圧式等の圧縮器により圧縮スリーブ１０を圧縮して２本の電線２０を接続するために使用されるものである。この圧縮器による圧縮は、主に複数回行われる。圧縮スリーブ１０には、圧縮器により圧縮される箇所である筒状部１１と、筒状部１１の両端にスロープ状に設けられたスロープ部１２と、電線２０が挿入されている開口部１３とが設けられている。開口部１３から突出している電線２０は、複数の導電性の線材が結束されて形成されたより線であり、例えば、電線の中心に亜鉛メッキ鋼線を配置し、その周囲を硬アルミ線が螺旋状により合わされた鋼心アルミより線である。なお、図２（ａ）は圧縮スリーブ１０の左側のみ図示しているが、圧縮スリーブ補助具１は圧縮スリーブ１０の両端にそれぞれ装着されるものである。
【００２７】
図２（ａ）に示すように、圧縮スリーブ補助具１の第１の枠体２ａと第２の枠体２ｂとを開いた状態にする。この状態で、圧縮スリーブ１０における開口部１３が、図２（ａ）に示す第１の内周部３ｂの開口部３１ｂに接触するように、電線２０を載置する。電線２０を第１の内周部３ｂと第１の内周部３ｄとの間で挟持するようにして第１の枠体２ａ及び第２の枠体２ｂを閉じ、締付具６ａ，６ｂを係止部７ａ，７ｂに係止する。このとき、電線２０が第２の内周部４ａと第２の内周部４ｂとの間で締め付けられるように固く係止する。図２（ａ）に図示しない圧縮スリーブ１０の右側についても、同様に圧縮スリーブ補助具１を装着すると、図２（ｂ）に示すように、圧縮スリーブ１０の両端の開口部１３が圧縮スリーブ補助具１に接触するように挟持される。電線２０は、第２の内周部４ａと第２の内周部４ｂとにより挟持される。
【００２８】
図３は、電線２０の圧縮接続前における図２（ｂ）のＡ−Ａ線を示す断面図である。図４は、電線２０の圧縮接続後における図２（ｂ）のＡ−Ａ線を示す断面図である。また、図５は、図２（ｂ）のＢ−Ｂ線を示す断面図である。ここで、図３ないし図５における電線２０は、硬アルミ線（線材）２０ａ及び亜鉛メッキ鋼線（線材）２０ｂから構成される鋼心アルミより線であり、中心に亜鉛メッキ鋼線２０ｂが配置され、その周囲を硬アルミ線２０ａが螺旋状により合わされるように形成されている。電線２０が圧縮接続される前、図２（ｂ）のＡ−Ａ線の位置では、図３に示すように、電線２０が第１の内周部３に接触した状態で挟持される。このとき、第１の内周部３はスポンジ等の柔軟材であるため、電線２０は、外周部２の範囲内で押圧されることなく挟持されている。図２（ｂ）のＢ−Ｂ線の位置では、図５に示すように、電線２０が第２の内周部４に挟持されるが、第２の内周部４はゴム材等の弾性材であり、締付具６ａ，６ｂ及び係止部７ａ，７ｂにより固く締め付けられているため、電線２０は、強い押圧力により挟持されている。
【００２９】
この状態で、筒状部１１に圧縮器を装着して圧縮接続すると、圧縮器の圧力が圧縮スリーブ１０及び電線２０に加えられる。そして、その圧力によって、圧縮スリーブ１０が左右に延伸される。そのため、圧縮スリーブ１０の開口部１３が圧縮スリーブ補助具１の第１の内周部３の中に入り込み、第１の内周部３によって保持される。図２（ｂ）のＡ−Ａ線の位置では、図４に示すように、圧縮スリーブ１０が第１の内周部３の柔軟材を押し除けて入り込み、圧縮スリーブ１０及び電線２０が第１の内周部３に挟持される。図２（ｂ）のＢ−Ｂ線の位置では、圧縮接続の前と変化なく、図５に示すように電線２０が第２の内周部４に挟持されている。
【００３０】
圧縮接続の圧力により、図２（ｂ）のＢ−Ｂ線の位置では、電線２０の周囲により合わされた硬アルミ線２０ａに対して螺旋状のよりが外れる方向に力が加えられる。しかし、圧縮スリーブ補助具１の第２の内周部４が電線２０を挟持することにより、よりが外れるのを防止する。これにより、電線２０の「笑い」現象を防止する。
【００３１】
その後、締付具６ａ，６ｂを係止部７ａ，７ｂから外すことにより、圧縮スリーブ補助具１が容易に電線２０から取り外される。そして、圧縮接続が複数回行われる場合は、圧縮スリーブ１０の加圧する位置に応じて、圧縮スリーブ補助具１の装着位置を変更して電線２０に取り付けられ、再度圧縮接続が行われる。
【００３２】
このように、この圧縮スリーブ補助具１によれば、圧縮スリーブ１０の両端の開口部１３が圧縮スリーブ補助具１に隣接するように挟持され、第２の内周部４が電線２０のの外径と略同一の内径に形成され、電線２０が第２の内周部４ａと第２の内周部４ｂとにより挟持されるため、圧縮接続の際に圧縮スリーブ１０の内部の硬アルミ線２０ａが加圧されてよりが外れる方向に力が加わっても、第２の内周部４ａ，４ｂが電線２０を挟持することにより、よりが外れるのを防止する。これにより、硬アルミ線２０ａがより線の外側に移動して、硬アルミ線２０ａの間に隙間が生じる「笑い」現象を防止することができる。
【００３３】
また、第２の内周部４はゴム材等の弾性材が敷設され、締付具６及び係止部７により締め付けられるので、圧縮接続の際に圧縮スリーブ１０の内部の硬アルミ線２０ａが加圧されてよりが外れる方向に力が加わっても、第２の内周部４ａ，４ｂが電線２０を挟持することにより、よりが外れるのを防止する。これにより、「笑い」現象を確実に防止することができる。
【００３４】
また、外周部２が略円筒状で軸方向に沿って略半分に開く形状であり、第１の枠体２ａと第２の枠体２ｂとの円周方向の一端を開閉自在に連結する弾性ヒンジ５が設けられ、締付具６及び係止部７により接合されるように構成されているので、電線２０への取り付け及び取り外しが容易であり、簡便に運搬することが可能になる。
【００３５】
さらに、第１の内周部３ａ，３ｂ，３ｃ，３ｄは、外周部２の両端にそれぞれ設けられているので、複数箇所の圧縮接続に対応することが可能になるため、送電線の建設や事故による断線復旧の工事に対して柔軟に適用することが可能になる。
【００３６】
以上、この発明の実施の形態について説明したが、具体的な構成は、上記の実施の形態に限られるものではなく、この発明の要旨を逸脱しない範囲の設計の変更等があっても、この発明に含まれる。例えば、上述した実施の形態では、第１の内周部３ａ，３ｂ，３ｃ，３ｄを外周部２の両端にそれぞれ設けたが、外周部２の一端にのみ設けても良い。
【００３７】
また、第１の枠体２ａと第２の枠体２ｂとを、締付具６及び係止部７により係止する構成としたが、ラチェット式締付具等を用いても良い。
【符号の説明】
【００３８】
１                                  圧縮スリーブ補助具
２                                  外周部
２ａ                                第１の枠体
２ｂ                                第２の枠体
３，３ａ，３ｂ，３ｃ，３ｄ          第１の内周部
３１ａ，３１ｂ，３１ｃ，３１ｄ      開口部
３２ａ，３２ｂ，３２ｃ，３２ｄ      境界部
４，４ａ，４ｂ                      第２の内周部
５，５ａ，５ｂ，５ｃ                弾性ヒンジ
６，６ａ，６ｂ                      締付具
７，７ａ，７ｂ                      係止部
１０                                圧縮スリーブ
１１                                筒状部
１２                                スロープ部
１３                                開口部
２０                                電線（より線）
２０ａ                              硬アルミ線（線材）
２０ｂ                              亜鉛メッキ鋼線（線材）
【図１】
2018097996.tif 000003
【図２】
2018097996.tif 000004
【図３】
2018097996.tif 000005
【図４】
2018097996.tif 000006
【図５】
2018097996.tif 000007